(57)【要約】      （修正有）【課題】袖の表地と裏地の間に調整用部材を通すことによって、袖の長さを調整することができるようにした上着において、袖の表面に現れるシワの発生を抑制することができ、デザインの低下を軽減することができる上着を提供する。【解決手段】上着の袖の上腕部２２から前腕部２４にかけて調整用部材３１が配置されている。調整用部材は、表地と裏地１７の間に通されて、上端３２と上腕部２２とが上固定部２３で固定され、前端３３と前腕部２４とが前固定部２５で固定されている。上固定部と前固定部の間における調整用部材の長さを調整することによって、袖の見かけ上の長さを調整可能とする。釣り上げられた余剰の生地は、表地の素材の柔軟性によって吸収され、横ジワの発生が抑えられる。【選択図】図３
0003215271.tif 000002
【実用新案登録請求の範囲】
【請求項１】
表地と裏地のある袖を備えた上着において、
前記袖は、肘と肩の間の上腕部と、肘と袖口の間の前腕部とを備え、
前記表地と前記裏地の間に前記上腕部から前記前腕部にかけて通された調整用部材と、前記上腕部と前記前腕部とのそれぞれに前記調整用部材の上端及び前端をそれぞれ固定する上固定部及び前固定部とを備え、
前記上固定部と前記前固定部との間の長さは前記袖の長さよりも短く、前記上固定部と前記前固定部との間の前記調整用部材の長さを調整可能に構成することによって、前記上固定部と前記前固定部との間の前記調整用部材の長さを短く調整した場合に前記上腕部の前記上固定部から前記前腕部を吊り上げて前記袖の見かけ上の長さを調整可能としたことを特徴とする上着。
【請求項２】
前記上固定部及び前記前固定部は前記調整用部材の前記上端及び前記前端を前記裏地に固定するものであり、
前記上固定部は、前記袖のアームホールの下端より下方に配置され、
前記上端と前記上固定部との固定位置と、前記前端と前記前固定部の固定位置との少なくともいずれか一方を変更可能に構成することによって、前記固定部間における前記調整用部材の長さを調整することができるようにしたことを特徴とする請求項１記載の上着。
【請求項３】
前記調整用部材は少なくとも長手方向に伸縮性を有するテープ状部材であり、
前記調整用部材は、前記袖の周方向に間隔を置いて複数本が配置され、
前記調整用部材の前記上端と前記前端との少なくともいずれか一方は、前記長手方向に複数のボタンホールを備え、
前記上固定部及び前記前固定部は前記ボタンホールに係合するボタンであり、
前記ボタンを複数の前記ボタンホールに対して選択して係合させることによって前記上固定部と前記前固定部との間における前記調整用部材の長さを調整することができるようにしたことを特徴とする請求項２記載の上着。
【請求項４】
前記上着は学生服の上着であり、
前記調整用部材は前記袖に２本配置され、
前記裏地は腕の外側の大袖裏と腕の内側の小袖裏とを備え、
２本の前記調整用部材に対応する２つの前記上固定部及び前記前固定部が前記小袖裏の肩側と脇側の両側に配置され、
２つの前記上固定部が共に前記袖のアームホールの下端より下方に配置され、
前記肩側の前記上固定部と前記袖口との間の長さは、前記袖の全長の３分の２以下であることを特徴とする請求項１〜３の何かに記載の上着。
【考案の詳細な説明】
【技術分野】
【０００１】
本考案は、袖の長さを調整可能な上着に関するものであり、特に成長の著しい学生が着用する上着に関するものである。
【背景技術】
【０００２】
上着、特に成長の著しい学生が着用する上着に有っては、数年の着用期間中に学生の成長に合わせて袖の長さを長くしていく必要がある。従来、折り返していた袖口の表地を出して縫製し直すことによって袖の長さを長くすることが一般的に行われていたが、家庭でその縫製を綺麗に行うことは困難である。
【０００３】
他方、特許文献の１〜３に示すように、スポーツ用の上着にあっては、長尺状の調整用部材を袖に通してその長さを調整することにより袖の長さを変更可能とすることが提案されている。
【０００４】
ところが、これらの文献の提案にあっては、いつでも袖の長さ以上の長さで調整用部材が配置されており身頃にまで達する提案も存在する。このように長い範囲で調整用部材を配置するという技術思想は、袖の長さの全体を、良好に調整することができる効果があると一見思われるが、それはスキーウェアなどのスポーツ用の上着と言った柔軟性や伸縮性が高い上着や、中綿が挿入されている上着に適用することができるものの、男女の学生服やブレザージャケットやオフィス用のスーツの上着など、伸縮性が乏しい表地を用いて縫製されたものでシワが表地に表れることを嫌うような上着（以下、学生服等用上着という）に適用することは、そのシルエットやデザイン性を損なう恐れがある。学生服等用上着にあっては、上着の肩周辺にシワが発生しないことが良い縫製の上着であると言われる。袖にあっても、肩からアームホール周辺にシワ（特に横ジワ）が生じないように縫製することが望ましい。ところがスポーツ用の上着の改良にかかる先行技術文献は、学生服等用上着に求められる肩周辺のシワの発生が抑制された上着を提供すると言う観点からの技術を提供するものではなかった。
【先行技術文献】
【特許文献】
【０００５】
【特許文献１】特開2006-9209号公報
【特許文献２】登録実用新案第3141337号公報
【特許文献３】実開平4-7391号公報
【考案の概要】
【考案が解決しようとする課題】
【０００６】
本考案の目的は、袖の表地と裏地の間に調整用部材を通すことによって、袖の長さを調整することができるようにした上着において、袖の表面に現れるシワの発生を抑制することができ、デザインの低下を軽減することができる上着の提供を図ることにある。
特に学生服等用上着に求められる肩周辺の横ジワの発生を抑制しながら、袖の長さを簡単に調整することができる上着の提供を図ることを 目的とする。
【課題を解決するための手段】
【０００７】
本考案は、表地と裏地のある袖を備えた上着において、袖の長さを簡単に調整することができる上着を提供する。
前記袖は、肘と肩の間の上腕部と、肘と袖口の間の前腕部とを備える。この上着は、前記表地と前記裏地の間に前記上腕部から前記前腕部にかけて通された調整用部材と、前記上腕部と前記前腕部とのそれぞれに前記調整用部材の上端及び前端をそれぞれ固定する上固定部及び前固定部とを備える。そして、前記上固定部と前記前固定部との間の長さは前記袖の長さよりも短く、前記上固定部と前記前固定部との間の前記調整用部材の長さを調整可能に構成することによって、前記上固定部と前記前固定部との間の前記調整用部材の長さを短く調整した場合に前記上腕部の前記上固定部から前記前腕部を吊り上げて前記袖の見かけ上の長さを調整可能としたものである。
【考案の効果】
【０００８】
本考案にあっては、上固定部と前固定部との間の長さは袖の長さよりも短いものとしたため、シワの発生が気になり難い位置に調整用部材を配置することができると共に、上固定部と前固定部との間の調整用部材の長さを短く調整した場合に上腕部の上固定部から前腕部を吊り上げて袖の見かけ上の長さを調整可能とすることができたものである。調整用部材の長さを短く調整した場合、腕を真下に下ろした気を付けの姿勢をとると前固定部から前腕部を中心とする袖が吊り上げられ、釣り上げられた余剰の生地は表地の素材（例えば、ウールなどの天然繊維、合成樹脂繊維、天然繊維と合成樹脂繊維の混紡繊維）の柔軟性によって吸収されることにより表面に横ジワをほとんど発生させることなく見かけ上の長さを短くすることができる。
本考案は、学生服等用上着において、肩周辺の横ジワの発生を抑制しながら、袖の長さを簡単に調整することができる上着を提供することができたものである。
【図面の簡単な説明】
【０００９】
【図１】本考案の実施の形態に係る上着の正面図。
【図２】同上着の袖の裏地の型紙図。
【図３】同上着の袖の裏地側から見た内部構造説明図。
【考案を実施するための形態】
【００１０】
以下、図面に基づき本考案の実施の形態を説明する。
（上着）
この実施の形態に係る上着１１は、詰襟学生服として実施されているものであるが、セーラー学生服やブレザーや背広の上着など、身頃１２と袖１３がアームホール２１によって縫着された上着１１、特に肩パッドを備えた学生服等用上着として実施することができる。
【００１１】
（上着の袖）
この上着１１の袖１３は、表地１６と裏地１７とを備えている。表地１６と裏地１７のそれぞれの型紙や形態は従来の通常の上着１１と同様に種々変更して実施することができるが、この例では、裏地１７は腕の外側の大袖裏１９と腕の内側の小袖裏１８とを備えている。小袖裏１８には、生地を二重に折り返して、その両端を大袖裏１９と縫着したタック２０が設けられているが、省略して実施することもできる。
袖１３は、通常の上着１１と同様に、肘と肩の間の上腕部２２と、肘と袖口１５の間の前腕部２４とを備え、上腕部２２から前腕部２４にかけて調整用部材３１が配置されている。
【００１２】
（調整用部材）
この調整用部材３１は、テープ状や紐状の長尺体によって構成することができるが、この実施の形態にあっては長手方向に伸縮可能なテープによって構成されている。長手方向に伸縮可能な調整用部材３１を用いることによって、調整用部材３１が伸縮することで腕の曲げ伸ばしが楽に行えると共に、袖１３の上腕部２２を吊り上げる作用を有効に発揮することができる。
【００１３】
この例では、図３に示すように、２本の調整用部材３１が、表地１６と裏地１７の間に通されて上腕部２２から前腕部２４にかけて配置されているが、１本でもよく３本以上でも構わない。２本の前記調整用部材３１は、袖１３の周方向に間隔を置いて複数本が配置されたもので、小袖裏１８の肩側と脇側の両側の２か所に前固定部２５及び前固定部２５が設けられ、肩側と脇側に２本の前記調整用部材３１が配置されている。各前記調整用部材３１の上端３２と前端３３とは、裏地１７の開口部２６から裏地１７の外に引き出されている。
【００１４】
（固定部）
調整用部材３１の上端３２と上腕部２２とは上固定部２３で固定されている。また調整用部材３１の前端３３と前腕部２４とは前固定部２５で固定されている。この例では、前固定部２５及び前固定部２５が、前端３３は裏地１７に設けられ、上端３２及び前端３３が前固定部２５及び前固定部２５によって裏地１７に固定される。
【００１５】
上端３２と上固定部２３との固定位置と、前端３３と前固定部２５の固定位置との少なくともいずれか一方を変更可能に構成することによって、固定部間における調整用部材３１の長さを調整することができる。図１においては、向かって右の袖１３の見かけ上の寸法が短く調整され、左の袖１３の寸法が長く調整されている。
【００１６】
固定の構造は縫製であっても構わないが、縫製作業を伴わずに固定位置の変更ができるものであることが好ましい。図の例では、ボタンとボタンホールを示したが、ホック、面ファスナー、開閉式のフックなど、種々の着脱可能な係止具や金具を用いて実施することができる。図の例では、ボタンを裏地１７に設け、ボタンホールを調整用部材３１に設けたものとしたが、ボタンを調整用部材３１に設け、ボタンホールを裏地１７に設けたものであっても構わない。また、この例では、ボタンホールを複数設けることより固定位置の変更を行うようにしたが、ボタンを複数設けて固定位置の変更を行うようにしても構わない。
【００１７】
長さ変更の段階は２段以上であり、上腕側と前腕側とで多段に変更可能とすることもできる。また長短の２段とする場合であれば、短い寸法で調整用部材３１を固定してしまい、長くする場合には、調整用部材３１を切断して取り外してしまうことで２段階に調整することも可能である。また調整用部材３１自体の長さをスライド金具などで調整可能としても構わない。
【００１８】
（調整用部材の位置と長さ）
図１に示すように、上固定部２３と前固定部２５との間の長さ、即ち両者間の調整用部材３１の長さｂは、袖１３の全長ａ（肩先１４から袖口１５までの長さ）よりも短い。そして両者間の調整用部材３１の長さｂを、対応する表地１６又は裏地１７の長さよりも短く設定した場合には、腕を真下に下ろすと、袖１３の前腕部２４が上腕部２２から吊り上げられた状態になる。そして両者間の調整用部材３１の長さｂを、対応する表地１６と裏地１７の長さ以上に設定した場合には、本来の袖１３の長さとなる。
【００１９】
この実施形態では、２つの上固定部２３は、いずれもアームホール２１の下端より少し（１〜１０ｃｍ程度）下方の上腕部２２の中程に配置されている。肩側の上固定部２３と袖口１５との間の長さｃは、袖１３の全長ａの３分の２以下、２分の１以上であることが望ましい。
また２つの前固定部２５は、何も袖口１５から少し（５〜１０ｃｍ程度）上に入った前腕部２４に配置されている。
【００２０】
これによって、肩からアームホール２１周辺も表地１６にシワが発生することを抑制することができると共に、上腕側から吊り上げられた状態の前腕は、その表地１６の持つ柔軟性によって、全体に自然な表地１６の状態を保つことができるものであり、必要以上に不自然なシワの発生を抑制することができる。具体的には図１に示されるように、左右で寸法が異なるように調整されているにも関わらず、表地１６の状態は左右でほとんど変わらないものとなっているものである。
【符号の説明】
【００２１】
１１  上着
１２  身頃
１３  袖
１４  肩先
１５  袖口
１６  表地
１７  裏地
１８  小袖裏
１９  大袖裏
２０  タック
２１  アームホール
２２  上腕部
２３  上固定部
２４  前腕部
２５  前固定部
２６  開口部
３１  調整用部材
３２  上端
３３  前端
【図１】
0003215271.tif 000003
【図２】
0003215271.tif 000004
【図３】
0003215271.tif 000005